【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
第１の通信チャネル上で第１のネットワークデバイスから第１のユーザ入力を第２のネットワークデバイスに送信することと、ここにおいて、前記第１のユーザ入力は、前記第２のネットワークデバイスの動作を制御するための入力である、
前記第１の通信チャネル上で前記第２のネットワークデバイスから肯定応答メッセージを受信しないことに少なくとも一部は基づき、前記第２のネットワークデバイスが前記第１の通信チャネル上で動作しているかどうかを決定することと、
前記第２のネットワークデバイスが前記第１の通信チャネル上で動作していないと決定したことに応答してチャネルスキャンシーケンスに従って複数の通信チャネルをスキャンすることと、ここにおいて、前記チャネルスキャンシーケンスは、前記第２のネットワークデバイスから以前に受信されている動作状態フィードバックに少なくとも一部は基づき決定される、を備える方法。
【請求項２】
前記第１の通信チャネル上で前記第２のネットワークデバイスから前記肯定応答メッセージを受信しないことに応答して前記第１のネットワークデバイスから前記第２のネットワークデバイスに前記第１のユーザ入力と動作状態フィードバック要求とを送信することをさらに備える請求項１に記載の方法。
【請求項３】
前記第１のネットワークデバイスから前記第２のネットワークデバイスに動作状態フィードバック要求を、
前記第１のユーザ入力を前記第２のネットワークデバイスに送信するための所定の再送時間間隔が経過したことを決定することと、
前記第１のユーザ入力を前記第２のネットワークデバイスに送信するための所定の再送試行回数に達したことを決定することと、
前記第１のユーザ入力が所定のユーザ入力とマッチしていると決定することのうちの少なくとも１つに応答して、送信することをさらに備える請求項１に記載の方法。
【請求項４】
前記第１のネットワークデバイスから前記第２のネットワークデバイスに動作状態フィードバック要求を送信することと、
新しい動作状態フィードバックが前記第２のネットワークデバイスから受信されるまで、または事前定義されている時間間隔が経過するまでアクティブ動作状態に構成されたままであることを決定することとをさらに備える請求項１に記載の方法。
【請求項５】
所定の再送時間間隔が経過した後に前記第１の通信チャネル上で前記第１のユーザ入力を前記第２のネットワークデバイスに再送しないことを決定することと、
前記第１のユーザ入力を再送しないことを決定した後に前記第１の通信チャネル上で動作状態フィードバック要求を前記第１のネットワークデバイスから前記第２のネットワークデバイスに送信することとをさらに備える請求項１に記載の方法。
【請求項６】
前記第１の通信チャネル上で前記第２のネットワークデバイスから前記肯定応答メッセージを受信しないことに応答して、前記方法は、
前記第１の通信チャネル上で前記第１のネットワークデバイスから前記第２のネットワークデバイスへの前記第１のユーザ入力の再送に動作状態フィードバック要求を埋め込むことをさらに備える請求項１に記載の方法。
【請求項７】
前記第１のネットワークデバイスから前記第２のネットワークデバイスに動作状態フィードバック要求を送信したことに応答して前記第２のネットワークデバイスから前記肯定応答メッセージを受信することと、
前記肯定応答メッセージは、前記第２のネットワークデバイスの新しい動作状態フィードバックを含まないと決定することと、
前記肯定応答メッセージが前記新しい動作状態フィードバックを含まないと決定したことに応答して前記第２のネットワークデバイスから以前に受信された前記動作状態フィードバックを使用することを決定することとをさらに備える請求項１に記載の方法。
【請求項８】
前記第２のネットワークデバイスへの送信のため前記第１のネットワークデバイスで第２のユーザ入力を受信することと、
前記第１のネットワークデバイスが、前記第１のユーザ入力を前記第２のネットワークデバイスに送信しているかどうかを決定することと、
前記第１のネットワークデバイスが前記第１のユーザ入力を前記第２のネットワークデバイスに送信しているかどうかに少なくとも一部は基づき前記第２のユーザ入力を前記第２のネットワークデバイスに送信するかどうかを決定することとをさらに備える請求項１に記載の方法。
【請求項９】
前記第１のユーザ入力を受信したことに応答して前記第１のネットワークデバイスでアクティブ動作状態に遷移することと、
第２の通信チャネル上で前記第１のユーザ入力を送信した後に前記第２の通信チャネル上で前記第２のネットワークデバイスから肯定応答メッセージを受信したことに応答して前記第２の通信チャネル上で前記第２のネットワークデバイスが動作していると決定することと、
前記第２の通信チャネル上で前記第２のネットワークデバイスから前記肯定応答メッセージを受信したことに応答して前記第１のネットワークデバイスで前記アクティブ動作状態から非アクティブ動作状態に遷移することとをさらに備える請求項１に記載の方法。
【請求項１０】
前記第１の通信チャネル上で前記第２のネットワークデバイスから前記肯定応答メッセージを受信しないことに応答して、
所定の再送時間間隔の間、前記第１の通信チャネル上で前記第１のユーザ入力を再送することと、
前記所定の再送時間間隔が経過した後に前記肯定応答メッセージを受信しないことに少なくとも一部は基づき前記第２のネットワークデバイスが前記第１の通信チャネル上で動作していないと決定することとを備える請求項１に記載の方法。
【請求項１１】
第２の通信チャネル上で前記第１のネットワークデバイスから前記第２のネットワークデバイスへの前記第１のユーザ入力の送信成功を決定することと、
前記第１のネットワークデバイスをアクティブ動作状態からスリープ動作状態に遷移させることと、ここにおいて、前記スリープ動作状態は、前記アクティブ動作状態と非アクティブ動作状態との間の状態である、をさらに備える請求項１に記載の方法。
【請求項１２】
前記第１の通信チャネル上で前記第１のユーザ入力を前記第１のネットワークデバイスから前記第２のネットワークデバイスに送信するために前記第１のネットワークデバイスの第１の通信パラメータを選択することと、
所定の再送時間間隔が経過した後に、前記第１の通信チャネル上で前記第１のユーザ入力を前記第１のネットワークデバイスから前記第２のネットワークデバイスに再送するために前記第１のネットワークデバイスの第２の通信パラメータを選択することとをさらに備える請求項１に記載の方法。
【請求項１３】
所定の数のユーザ入力が前記第１のネットワークデバイスから前記第２のネットワークデバイスに送信されることに成功しなかったと決定したこと、または
前記第２のネットワークデバイスが前記複数の通信チャネル上で検出されなかったと決定したことに応答して
前記第１のネットワークデバイスと前記第２のネットワークデバイスとの間のペアリングのための動作を実行する通知を前記第１のネットワークデバイスで提示することをさらに備える請求項１に記載の方法。
【請求項１４】
プロセッサと、
前記プロセッサに結合された通信ユニットとを備え、前記通信ユニットは
第１の通信チャネル上で第１のユーザ入力を第２のネットワークデバイスに送信し、ここにおいて、前記第１のユーザ入力は、前記第２のネットワークデバイスの動作を制御するための入力である、
前記第１の通信チャネル上で前記第２のネットワークデバイスから肯定応答メッセージを受信しないことに少なくとも一部は基づき、前記第２のネットワークデバイスが前記第１の通信チャネル上で動作しているかどうかを決定し、
前記第２のネットワークデバイスが前記第１の通信チャネル上で動作していないと決定したことに応答してチャネルスキャンシーケンスに従って複数の通信チャネルをスキャンし、ここにおいて、前記チャネルスキャンシーケンスは、前記第２のネットワークデバイスから以前に受信されている動作状態フィードバックに少なくとも一部は基づき決定される、ように構成される、第１のネットワークデバイス。
【請求項１５】
中にコンピュータ実行可能命令が記憶されており、ここにおいて、前記命令は、実行されたとき、コンピュータに、請求項１ないし１３のいずれか一項に記載の方法を実行させる、コンピュータ可読記憶媒体。
【手続補正２】
【補正対象書類名】明細書
【補正対象項目名】０１７１
【補正方法】変更
【補正の内容】
【０１７１】
[00186]本明細書において単数の場合として説明されている構成要素、動作、または構造については、複数の場合も可能である。最後に、様々な構成要素、動作、およびデータ記憶位置の間の境界は、ある程度任意であり、特定の動作は、具体的な例示的な構成の文脈において例示されたものである。機能の他の割り当ても企図され、本開示の範囲内に収まり得る。一般に、例示的な構成において別個の構成要素として提示されている構造および機能性は、結合された構造または構成要素として実施され得る。同様に、単一の構成要素として提示されている構造および機能性は、別個の構成要素として実施され得る。これらのおよび他の変更、修正、追加、および改善は、本開示の範囲内に収まり得る。
以下に本願の出願当初の特許請求の範囲に記載された発明を付記する。
［Ｃ１］  第１の通信チャネル上で第１のネットワークデバイスから第１のユーザ入力を第２のネットワークデバイスに送信することと、ここにおいて、前記第１のユーザ入力は、前記第２のネットワークデバイスの動作を制御するための入力である、
前記第１の通信チャネル上で前記第２のネットワークデバイスから肯定応答メッセージを受信しないことに少なくとも一部は基づき、前記第２のネットワークデバイスが前記第１の通信チャネル上で動作しているかどうかを決定することと、
前記第２のネットワークデバイスが前記第１の通信チャネル上で動作していないと決定したことに応答してチャネルスキャンシーケンスに従って複数の通信チャネルをスキャンすることと、ここにおいて、前記チャネルスキャンシーケンスは、前記第２のネットワークデバイスから以前に受信されている動作状態フィードバックに少なくとも一部は基づき決定される、を備える方法。
［Ｃ２］  前記第１の通信チャネル上で前記第２のネットワークデバイスから前記肯定応答メッセージを受信しないことに応答して前記第１のネットワークデバイスから前記第２のネットワークデバイスに前記第１のユーザ入力と動作状態フィードバック要求とを送信することをさらに備えるＣ１に記載の方法。
［Ｃ３］  前記第１のネットワークデバイスから前記第２のネットワークデバイスに動作状態フィードバック要求を、
前記第１のユーザ入力を前記第２のネットワークデバイスに送信するための所定の再送時間間隔が経過したことを決定することと、
前記第１のユーザ入力を前記第２のネットワークデバイスに送信するための所定の再送試行回数に達したことを決定することと、
前記第１のユーザ入力が所定のユーザ入力とマッチしていると決定することのうちの少なくとも１つに応答して、送信することをさらに備えるＣ１に記載の方法。
［Ｃ４］  前記第１のネットワークデバイスから前記第２のネットワークデバイスに動作状態フィードバック要求を送信することと、
新しい動作状態フィードバックが前記第２のネットワークデバイスから受信されるまで、または事前定義されている時間間隔が経過するまでアクティブ動作状態に構成されたままであることを決定することとをさらに備えるＣ１に記載の方法。
［Ｃ５］  前記第２のネットワークデバイスの前記動作状態フィードバックは、
前記第２のネットワークデバイスが、アクティブ動作状態で構成されているかどうか、
前記第２のネットワークデバイスが、アクセスポイントに関連付けられているかどうか、
前記第２のネットワークデバイスが前記アクセスポイントと通信するように構成されている動作している通信チャネルの識別、
前記第２のネットワークデバイスが前記アクティブ動作状態で動作するように構成されている時間間隔の識別、および
前記第２のネットワークデバイスがスリープ動作状態で動作するように構成されている時間間隔の識別のうちの少なくとも１つを備えるＣ１に記載の方法。
［Ｃ６］  所定の再送時間間隔が経過した後に前記第１の通信チャネル上で前記第１のユーザ入力を前記第２のネットワークデバイスに再送しないことを決定することと、
前記第１のユーザ入力を再送しないことを決定した後に前記第１の通信チャネル上で動作状態フィードバック要求を前記第１のネットワークデバイスから前記第２のネットワークデバイスに送信することとをさらに備えるＣ１に記載の方法。
［Ｃ７］  前記第１の通信チャネル上で前記第２のネットワークデバイスから前記肯定応答メッセージを受信しないことに応答して、
前記第１の通信チャネル上で前記第１のネットワークデバイスから前記第２のネットワークデバイスへの前記第１のユーザ入力の再送に動作状態フィードバック要求を埋め込むことをさらに備えるＣ１に記載の方法。
［Ｃ８］  前記第１のネットワークデバイスから前記第２のネットワークデバイスに動作状態フィードバック要求を送信したことに応答して前記第２のネットワークデバイスから前記肯定応答メッセージを受信することと、
前記肯定応答メッセージは、前記第２のネットワークデバイスの新しい動作状態フィードバックを含まないと決定することと、
前記肯定応答メッセージが前記新しい動作状態フィードバックを含まないと決定したことに応答して前記第２のネットワークデバイスから以前に受信された前記動作状態フィードバックを使用することを決定することとをさらに備えるＣ１に記載の方法。
［Ｃ９］  前記第２のネットワークデバイスへの送信のため前記第１のネットワークデバイスで第２のユーザ入力を受信することと、
前記第１のネットワークデバイスが、前記第１のユーザ入力を前記第２のネットワークデバイスに送信しているかどうかを決定することと、
前記第１のネットワークデバイスが前記第１のユーザ入力を前記第２のネットワークデバイスに送信しているかどうかに少なくとも一部は基づき前記第２のユーザ入力を前記第２のネットワークデバイスに送信するかどうかを決定することとをさらに備えるＣ１に記載の方法。
［Ｃ１０］  前記第１のネットワークデバイスが、前記第１のユーザ入力を前記第２のネットワークデバイスに送信していると決定したことに応答して、
前記第２のユーザ入力が前記第１のユーザ入力の複製であるかどうかを決定することと、
前記第２のユーザ入力が前記第１のユーザ入力の複製でないと決定したことに応答して前記第１のユーザ入力と前記第２のユーザ入力とを前記第１のネットワークデバイスから前記第２のネットワークデバイスに送信することと、
前記第２のユーザ入力が前記第１のユーザ入力の複製であると決定したことに応答して前記第１のユーザ入力を送信することに関連付けられている再送時間間隔を延長することとを備えるＣ９に記載の方法。
［Ｃ１１］  前記第１のネットワークデバイスが、前記第１のユーザ入力を前記第２のネットワークデバイスに送信していると決定したことに応答して、
前記第１のユーザ入力と前記第２のユーザ入力とを前記第１のネットワークデバイスから前記第２のネットワークデバイスに送信することを備えるＣ９に記載の方法。
［Ｃ１２］  前記第１のネットワークデバイスが、前記第１のユーザ入力を前記第２のネットワークデバイスに送信していると決定したことに応答して、
所定の再送時間間隔が経過した後に前記第１のユーザ入力と前記第２のユーザ入力とを再送しないことを決定することと、
前記所定の再送時間間隔が経過した後に前記第１のネットワークデバイスから前記第２のネットワークデバイスに動作状態フィードバック要求を送信することとを備えるＣ９に記載の方法。
［Ｃ１３］  前記第１のユーザ入力を受信したことに応答して前記第１のネットワークデバイスでアクティブ動作状態に遷移することと、
第２の通信チャネル上で前記第１のユーザ入力を送信した後に前記第２の通信チャネル上で前記第２のネットワークデバイスから肯定応答メッセージを受信したことに応答して前記第２の通信チャネル上で前記第２のネットワークデバイスが動作していると決定することと、
前記第２の通信チャネル上で前記第２のネットワークデバイスから前記肯定応答メッセージを受信したことに応答して前記第１のネットワークデバイスで前記アクティブ動作状態から非アクティブ動作状態に遷移することとをさらに備えるＣ１に記載の方法。
［Ｃ１４］  前記第１の通信チャネル上で前記第２のネットワークデバイスから前記肯定応答メッセージを受信しないことに応答して、
所定の再送時間間隔の間に前記第１の通信チャネル上で前記第１のユーザ入力を再送することと、
前記所定の再送時間間隔が経過した後に前記肯定応答メッセージを受信しないことに少なくとも一部は基づき前記第２のネットワークデバイスが前記第１の通信チャネル上で動作していないと決定することとを備えるＣ１に記載の方法。
［Ｃ１５］  第２の通信チャネル上で前記第１のネットワークデバイスから前記第２のネットワークデバイスへの前記第１のユーザ入力の送信成功を決定することと、
前記第１のネットワークデバイスをアクティブ動作状態からスリープ動作状態に遷移させることと、ここにおいて、前記スリープ動作状態は、前記アクティブ動作状態と非アクティブ動作状態との間の状態である、をさらに備えるＣ１に記載の方法。
［Ｃ１６］  前記第１のネットワークデバイスが、前記スリープ動作状態に構成されている間、
前記第１のネットワークデバイスで第２のユーザ入力を受信したことに応答して、前記第１のネットワークデバイスを前記スリープ動作状態から前記アクティブ動作状態に遷移させて前記第２のユーザ入力を前記第２のネットワークデバイスに送信することと、
所定の時間間隔が経過したと決定したことに応答して、前記第１のネットワークデバイスを前記スリープ動作状態から前記非アクティブ動作状態に遷移させることとをさらに備えるＣ１５に記載の方法。
［Ｃ１７］  前記第１のユーザ入力は、前記第１のネットワークデバイスのトリガーメカニズムをアクティブ化したことに応答して供給されるＣ１５に記載の方法。
［Ｃ１８］  第２の通信チャネル上で前記第１のネットワークデバイスから前記第２のネットワークデバイスへの前記第１のユーザ入力の送信成功を決定することと、
前記第１のネットワークデバイスをアクティブ動作状態からスリープ動作状態に遷移させることと、ここにおいて、前記スリープ動作状態は、前記アクティブ動作状態と非アクティブ動作状態との間の状態である、
所定の時間間隔が経過した後に、前記第１のネットワークデバイスを前記スリープ動作状態から前記アクティブ動作状態に自動的に遷移させて第２のユーザ入力を送信することとをさらに備えるＣ１に記載の方法。
［Ｃ１９］  前記第１のネットワークデバイスから前記第２のネットワークデバイスにフィードバック要求を送信すること、ここにおいて、前記フィードバック要求への応答は、前記第１のネットワークデバイスがその後のユーザ入力を前記第２のネットワークデバイスに供給し続けるべきかどうかを指示する、をさらに備えるＣ１８に記載の方法。
［Ｃ２０］  前記第１のユーザ入力と前記第２のユーザ入力との差が所定の閾値を超えるかどうかを決定することと、
前記第１のユーザ入力と前記第２のユーザ入力との前記差が前記所定の閾値を超えたと決定したことに応答して前記第２のユーザ入力を前記第１のネットワークデバイスから前記第２のネットワークデバイスに送信することと、
前記第１のユーザ入力と前記第２のユーザ入力との前記差が前記所定の閾値を超えていないと決定したことに応答して前記第２のユーザ入力を前記第１のネットワークデバイスから前記第２のネットワークデバイスに再送しないことを決定することとをさらに備えるＣ１８に記載の方法。
［Ｃ２１］  前記第１のユーザ入力および前記第２のユーザ入力は、各々、ジェスチャー入力を表すセンサー情報を含むか、または
前記第１のユーザ入力および前記第２のユーザ入力は、各々、音声入力を表す音声サンプルを含むＣ１８に記載の方法。
［Ｃ２２］  前記第１の通信チャネル上で前記第１のユーザ入力を前記第１のネットワークデバイスから前記第２のネットワークデバイスに送信するために前記第１のネットワークデバイスの第１の通信パラメータを選択することと、
所定の再送時間間隔が経過した後に、前記第１の通信チャネル上で前記第１のユーザ入力を前記第１のネットワークデバイスから前記第２のネットワークデバイスに再送するために前記第１のネットワークデバイスの第２の通信パラメータを選択することとをさらに備えるＣ１に記載の方法。
［Ｃ２３］  前記第１のネットワークデバイスと前記第２のネットワークデバイスとの間の前記第１の通信チャネルに関連付けられている性能測定を決定することと、
前記性能測定と閾値とを比較した結果に少なくとも一部は基づき前記第１の通信チャネルに関するリンクステータスを提示するかどうかを決定することとをさらに備えるＣ１に記載の方法。
［Ｃ２４］  前記性能測定が前記閾値に従っていないと決定したことに応答して前記第１のネットワークデバイスが前記第２のネットワークデバイスへの接続性を喪失することを指示するための前記リンクステータスを提示することをさらに備えるＣ２３に記載の方法。
［Ｃ２５］  前記第１のユーザ入力を前記第１のネットワークデバイスから前記第２のネットワークデバイスに前記送信することは、
前記第１のネットワークデバイスが前記第２のネットワークデバイスへの接続性を喪失しないと決定すること、または
前記リンクステータスを提示した後に、前記第１のネットワークデバイスが前記第２のネットワークデバイスの通信可能範囲内にあると決定することに応答して行われるＣ２３に記載の方法。
［Ｃ２６］  所定の数のユーザ入力が前記第１のネットワークデバイスから前記第２のネットワークデバイスに送信されることに成功しなかったと決定したこと、または
前記第２のネットワークデバイスが前記複数の通信チャネル上で検出されなかったと決定したことに応答して
前記第１のネットワークデバイスと前記第２のネットワークデバイスとの間のペアリングのための動作を実行する通知を前記第１のネットワークデバイスで提示することをさらに備えるＣ１に記載の方法。
［Ｃ２７］  前記第１のネットワークデバイスは、リモートコントロールデバイスであり、前記第２のネットワークデバイスは、家庭用電子機器であるＣ１に記載の方法。
［Ｃ２８］  前記第１のネットワークデバイスおよび前記第２のネットワークデバイスは、各々、ワイヤレスローカルエリアネットワーク（ＷＬＡＮ）機能を含むＣ１に記載の方法。
［Ｃ２９］  プロセッサと、
前記プロセッサに結合された通信ユニットとを備え、前記通信ユニットは
第２のネットワークデバイスの動作を制御するためのユーザ入力を受信し、ここにおいて、前記第１のネットワークデバイスは非ビーコン動作モードで動作する前記第２のネットワークデバイスに関して非同期に動作するように構成され、
前記ユーザ入力を受信したことに応答してアクティブ動作状態に遷移し、
前記ユーザ入力を前記第２のネットワークデバイスに送信し、
前記ユーザ入力を前記第２のネットワークデバイスに送信した後に前記第２のネットワークデバイスから肯定応答メッセージを受信したことに応答して前記アクティブ動作状態を終了するように構成される
第１のネットワークデバイス。
［Ｃ３０］  前記通信ユニットは、
動作状態フィードバック要求を前記第２のネットワークデバイスに送信し、
動作状態フィードバックが前記第２のネットワークデバイスから受信されるまで、または事前定義されている時間間隔が経過するまで前記アクティブ動作状態に構成されたままであることを決定するようにさらに構成されるＣ２９に記載の第１のネットワークデバイス。
［Ｃ３１］  前記第２のネットワークデバイスから前記肯定応答メッセージを受信しないことに応答して、前記通信ユニットは、
前記第１のネットワークデバイスから前記第２のネットワークデバイスへの前記ユーザ入力の再送に動作状態フィードバック要求を埋め込むようにさらに構成されるＣ２９に記載の第１のネットワークデバイス。
［Ｃ３２］  第１のネットワークデバイスから第１のユーザ入力を第２のネットワークデバイスに送信することと、ここにおいて、前記第１のユーザ入力は、前記第２のネットワークデバイスの動作を制御するための入力である、
前記第２のネットワークデバイスから肯定応答メッセージを受信しないことに応答して、前記第１のネットワークデバイスから前記第２のネットワークデバイスへの前記第１のユーザ入力の再送に動作状態フィードバック要求を埋め込むことと、
前記第２のネットワークデバイスから以前に受信された動作状態フィードバックに少なくとも一部は基づき、前記第１のネットワークデバイスから前記第２のネットワークデバイスへの前記第１のユーザ入力の再送に使用されるべき第１の通信チャネルを決定することとを備える、方法。
［Ｃ３３］  前記第１のユーザ入力を再送するために使用されるべき前記第１の通信チャネルを前記決定することは、
前記第２のネットワークデバイスを検出するためにチャネルスキャンシーケンスに従って複数の通信チャネルをスキャンすること、ここにおいて、前記チャネルスキャンシーケンスは、前記第２のネットワークデバイスから以前に受信されている前記動作状態フィードバックに少なくとも一部は基づき決定される、を備えるＣ３２に記載の方法。
［Ｃ３４］  前記動作状態フィードバック要求に応答して前記第２のネットワークデバイスから新しい動作状態フィードバックを受信することと、
前記第２のネットワークデバイスがチャネルスキャンシーケンスに少なくとも一部は基づき前記第１の通信チャネルから第２の通信チャネルに遷移することを決定することと、ここにおいて、前記チャネルスキャンシーケンスは、前記新しい動作状態フィードバックに少なくとも一部は基づき決定される、
前記第１のネットワークデバイスから前記第２の通信チャネル上のその後のユーザ入力を前記第２のネットワークデバイスに再送することとをさらに備えるＣ３２に記載の方法。
［Ｃ３５］  前記動作状態フィードバック要求に応答して前記第２のネットワークデバイスから新しい動作状態フィードバックが受信されなかったと決定することと、
前記第１の通信チャネルを介して前記第１のネットワークデバイスから前記第１のユーザ入力と前記動作状態フィードバック要求とを前記第２のネットワークデバイスに再送することとをさらに備えるＣ３２に記載の方法。
［Ｃ３６］  前記第１のユーザ入力の前記再送に前記動作状態フィードバック要求を前記埋め込むことは、前記第１のネットワークデバイスで事前定義されたユーザ入力を受信したことに応答して行われ、ここにおいて、前記事前定義されたユーザ入力は、前記第１のネットワークデバイスが前記動作状態フィードバックを前記第２のネットワークデバイスに要求することを引き起こすＣ３２に記載の方法。
［Ｃ３７］  プロセッサと、
前記プロセッサに結合された通信ユニットとを備え、前記通信ユニットは
第１の通信チャネル上で第１のユーザ入力を第２のネットワークデバイスに送信し、ここにおいて、前記第１のユーザ入力は、前記第２のネットワークデバイスの動作を制御するための入力である、
前記第１の通信チャネル上で前記第２のネットワークデバイスから肯定応答メッセージを受信しないことに少なくとも一部は基づき、前記第２のネットワークデバイスが前記第１の通信チャネル上で動作しているかどうかを決定し、
前記第２のネットワークデバイスが前記第１の通信チャネル上で動作していないと決定したことに応答してチャネルスキャンシーケンスに従って複数の通信チャネルをスキャンし、ここにおいて、前記チャネルスキャンシーケンスは、前記第２のネットワークデバイスから以前に受信されている動作状態フィードバックに少なくとも一部は基づき決定される、ように構成される、第１のネットワークデバイス。
［Ｃ３８］  前記第１の通信チャネル上で前記第２のネットワークデバイスから前記肯定応答メッセージを受信しないことに応答して、前記通信ユニットは、
前記第１の通信チャネル上で前記第１のネットワークデバイスから前記第２のネットワークデバイスへの前記第１のユーザ入力の再送に動作状態フィードバック要求を埋め込むようにさらに構成されるＣ３７に記載の第１のネットワークデバイス。
［Ｃ３９］  前記通信ユニットは、
前記第２のネットワークデバイスへの送信のために第２のユーザ入力を受信し、
前記第１のネットワークデバイスが、前記第１のユーザ入力を前記第２のネットワークデバイスに送信しているかどうかを決定し、
前記第１のネットワークデバイスが前記第１のユーザ入力を前記第２のネットワークデバイスに送信しているかどうかに少なくとも一部は基づき前記第２のユーザ入力を前記第２のネットワークデバイスに送信するかどうかを決定するようにさらに構成されるＣ３７に記載の第１のネットワークデバイス。
［Ｃ４０］  第２のネットワークデバイスと非同期に動作するように構成され、
前記通信システムの前記第２のネットワークデバイスの動作を制御するために第１のユーザ入力を受信したことに応答してアクティブ動作状態に遷移し、
前記第１のユーザ入力を前記第２のネットワークデバイスに送信し、
前記第１のユーザ入力を前記第２のネットワークデバイスに送信した後に前記第２のネットワークデバイスから肯定応答メッセージを受信したことに応答して前記アクティブ動作状態を終了するように構成された第１のネットワークデバイスと、
前記第１のネットワークデバイスと通信可能に結合され、非ビーコン動作モードで動作するように構成され、
前記第１のネットワークデバイスから前記第１のユーザ入力を受信したことに応答して前記肯定応答メッセージを前記第１のネットワークデバイスに送信し、
前記第１のユーザ入力を処理し前記第１のユーザ入力に関連付けられている動作を実行するように構成された前記第２のネットワークデバイスとを備える、通信システム。
［Ｃ４１］  前記第２のネットワークデバイスは、
前記第２のネットワークデバイスが前記アクティブ動作状態に構成されている間に前記第１のネットワークデバイスと前記第２のネットワークデバイスとの間の通信チャネル上のデータトラヒックを検出し、
前記通信チャネル上の前記データトラヒックを検出したことに応答して前記アクティブ動作状態で動作するための時間間隔を動的に増加させるように構成されるＣ４０に記載の通信システム。
［Ｃ４２］  前記第２のネットワークデバイスは、前記アクティブ動作状態に構成され、
前記第２のネットワークデバイスに関連付けられている前記アクティブ動作状態の持続時間は、前記第１のネットワークデバイスから前記第１のユーザ入力を受信することに関連付けられている最大待ち時間に少なくとも一部は基づくＣ４０に記載の通信システム。
［Ｃ４３］  前記第２のネットワークデバイスは、
前記第１のネットワークデバイスから第２のユーザ入力を受信し、
前記第２のユーザ入力が前記第１のユーザ入力の複製であるかどうかを決定し、
前記第２のユーザ入力が前記第１のユーザ入力の複製でないと決定したことに応答して前記第１のユーザ入力と前記第２のユーザ入力とを処理し、
前記第２のユーザ入力が前記第１のユーザ入力の複製であると決定したことに応答して前記第２のユーザ入力を処理しないことを決定するようにさらに構成されるＣ４０に記載の通信システム。
［Ｃ４４］  前記第２のネットワークデバイスは、前記第２のユーザ入力が前記第１のユーザ入力の複製であるかどうかが前記第１のユーザ入力および前記第２のユーザ入力の種類と状況とに少なくとも一部は基づくと決定するようにさらに構成されるＣ４３に記載の通信システム。
［Ｃ４５］  前記第２のネットワークデバイスが第１の通信チャネル上で動作していることと前記第１のネットワークデバイスが第２の通信チャネル上で動作していることとに応答して、前記第２のネットワークデバイスは、
前記第１のネットワークデバイスと通信するために前記第１の通信チャネルから前記第２の通信チャネルに定期的に遷移するようにさらに構成されるＣ４０に記載の通信システム。
［Ｃ４６］  前記第１のネットワークデバイスは、
第１の通信チャネル上で前記第１のユーザ入力を送信したことに応答して前記肯定応答メッセージが前記第２のネットワークデバイスから受信されていないと決定し、
所定の再送時間間隔の間に前記第１の通信チャネル上で前記第１のユーザ入力を再送し、
前記所定の再送時間間隔が経過した後に前記肯定応答メッセージを受信しないことに少なくとも一部は基づき前記第２のネットワークデバイスが前記第１の通信チャネル上で動作していないと決定し、
前記第２のネットワークデバイスを検出するためにチャネルスキャンシーケンスに従って複数の通信チャネルをスキャンし、ここにおいて、前記チャネルスキャンシーケンスは、前記第２のネットワークデバイスから以前に受信されている動作状態フィードバックに少なくとも一部は基づき決定される、ようにさらに構成されるＣ４０に記載の通信システム。
［Ｃ４７］  中に機械実行可能命令が記憶されており、前記機械実行可能命令は
第１の通信チャネル上で第１のネットワークデバイスから第１のユーザ入力を第２のネットワークデバイスに送信するための命令と、ここにおいて、前記第１のユーザ入力は、前記第２のネットワークデバイスの動作を制御するための入力である、
前記第１の通信チャネル上で前記第２のネットワークデバイスから肯定応答メッセージを受信しないことに少なくとも一部は基づき、前記第２のネットワークデバイスが前記第１の通信チャネル上で動作しているかどうかを決定する命令と、
前記第２のネットワークデバイスが前記第１の通信チャネル上で動作していないと決定したことに応答してチャネルスキャンシーケンスに従って複数の通信チャネルをスキャンし、ここにおいて、前記チャネルスキャンシーケンスは、前記第２のネットワークデバイスから以前に受信されている動作状態フィードバックに少なくとも一部は基づき決定される、命令とを備える、非一時的機械可読記憶媒体。
［Ｃ４８］  前記第１の通信チャネル上で前記第２のネットワークデバイスから前記肯定応答メッセージを受信しないことに応答して、前記命令は、
前記第１の通信チャネル上で前記第１のネットワークデバイスから前記第２のネットワークデバイスへの前記第１のユーザ入力の再送に動作状態フィードバック要求を埋め込む命令をさらに備えるＣ４７に記載の非一時的機械可読記憶媒体。
［Ｃ４９］  前記命令は、
前記第２のネットワークデバイスへの送信のために第２のユーザ入力を受信する命令と、
前記第１のネットワークデバイスが、前記第１のユーザ入力を前記第２のネットワークデバイスに送信しているかどうかを決定する命令と、
前記第１のネットワークデバイスが前記第１のユーザ入力を前記第２のネットワークデバイスに送信しているかどうかに少なくとも一部は基づき前記第２のユーザ入力を前記第２のネットワークデバイスに送信するかどうかを決定する命令とをさらに備えるＣ４７に記載の非一時的機械可読記憶媒体。